(57)【要約】【課題】紫外線値を検出する専用の検出手段が無くても、撮像装置の設置環境に応じて吸着部に与える影響を考慮した結果に基づいて紫外線による吸着部の劣化を判定する事が可能な撮像装置を提供する事である。【解決手段】吸着部と、該吸着部をカバーする蓋部材と、被写体の輝度を検出する輝度検出手段と、前記蓋部材が開閉状態を検知する蓋開閉検出手段と、前記蓋部材が「開」状態である時間を積算するカウント手段と制御手段と、を有し、前記制御手段は、前記輝度検出手段の検出結果に応じて、前記カウント手段の積算する時間の重みづけを変更することを特徴とする。【選択図】  図１
2015233257.tif 000002
【特許請求の範囲】
【請求項１】
吸着部と、
該吸着部をカバーする蓋部材と、
被写体の輝度を検出する輝度検出手段と、
前記蓋部材が開閉状態を検知する蓋開閉検出手段と、
前記蓋部材が「開」状態である時間を積算するカウント手段と制御手段と、を有し、
前記制御手段は、前記輝度検出手段の検出結果に応じて、前記カウント手段の積算する時間の重みづけを変更することを特徴とする撮像装置。
【請求項２】
さらに表示手段を有し、前記制御手段は、前記カウント手段による時間の積算値が所定値を超えた場合には、前記表示手段に警告表示を行うことを特徴とする請求項１に記載の撮像装置。
【請求項３】
前記制御手段は、前記カウント手段による時間の積算値が所定値を超えた場合には、前記蓋部材を閉じることを特徴とする請求項１に記載の撮像装置。
【請求項４】
さらに本体部を有し、該本体部と前記蓋部材との間に形状記憶部材を設けていることを特徴とする請求項１に記載の撮像装置。
【請求項５】
さらに前記本体部か前記蓋部材の少なくとも一方が吸着しているかどうかを検出する吸着検知手段を有し、前記制御手段は、前記吸着検出手段の検出結果に応じて、前記形状記憶部材の形状を変化させることを特徴とする請求項４に記載の撮像装置。
【請求項６】
吸着部と、
該吸着部をカバーする蓋部材と、
被写体の色温度を検出する色温度検出手段と、
前記蓋部材が開閉状態を検知する蓋開閉検出手段と、
前記蓋部材が「開」状態である時間を積算するカウント手段と、制御手段と、を有し、
前記制御手段は、前記色温度検出装置の検出結果に応じて、前記カウント手段の積算する時間の重みづけを変更することを特徴とする撮像装置。
【請求項７】
吸着部と、
該吸着部をカバーする蓋部材と、
被写体の色味を検出する色味検出手段と、
前記蓋部材が開閉状態を検知する蓋開閉検出手段と、
前記蓋部材が「開」状態である時間を積算するカウント手段と、制御手段と、を有し、
前記制御手段は、前記色味検出装置の検出結果に応じて、前記カウント手段の積算する時間の重みづけを変更することを特徴とする撮像装置。
【発明の詳細な説明】
【技術分野】
【０００１】
本発明は、デジタルカメラに代表される撮像装置に関し、特に撮像装置本体を壁面等に固定するための吸着部を有する撮像装置に関するものである。
【背景技術】
【０００２】
従来から、ビデオカメラ、デジタルカメラのような撮像装置には、その撮影時において、集合写真を撮影する時には撮影者自身も写真に写りたいという要求や、夜景を手軽に撮影したいという要求がある一方、三脚などを常に携行することは望まれていない。
【０００３】
そこで、吸着手段を設けた撮像手段が提案されている。このような撮像装置では、撮影する時は、吸着手段により様々な壁面へ貼付ける事が可能となって三脚等を携行する必要が無くなり、その可動部が移動することにより、ガラス面での透過撮影においても、被写体光がケラレる事なく撮影が可能となる。
【０００４】
しかしながら、吸着手段によって様々な壁面へ貼り付けられたり、ガラス面に貼り付けられたりする事によって、屋外で使用する時だけではなく、屋内でもガラス越しに撮影する時など、吸着手段に太陽光（紫外線）が当たりながら撮影される事が想定される。
【０００５】
その場合、吸着手段がゲル等構成されている場合、吸着手段が紫外線に長時間暴露されると、ゲルが劣化する事で吸着手段の吸着力が減少する事が懸念される。吸着力が減少した結果、壁面やガラス面に貼り付けられた撮像装置が落下する恐れがある。
【０００６】
そのため、吸着手段を有する撮像装置においては、紫外線による吸着手段の劣化を防止するための各種対策、例えば、撮像装置への紫外線照射量の強度や累積値を検出する事が望まれている。
【０００７】
ところで、従来の撮像装置等の携帯機器における紫外線照射量の累積値を検出する例として、特許文献１のようなものがある。特許文献１において、紫外線値と検出時間とに基づいて紫外線の累積値を算出し、累積値判断手段は、累積値が所定値以上であるかどうかを判断し、累積値が所定値以上であれば警告する事が開示されている。
【先行技術文献】
【特許文献】
【０００８】
【特許文献１】特開２００４−２５４７２１号公報
【発明の概要】
【発明が解決しようとする課題】
【０００９】
しかしながら、特許文献１においては、紫外線値を検出する専用のセンサが必要であり、また、そのセンサが紫外線を受光するためには、紫外線を透過する特殊な光学部材（例えば、石英ガラス）が必要なため、小型化やコストダウンが難しい。
【００１０】
そこで、本発明の目的は、紫外線値を検出する専用の検出手段が無くても、撮像装置の設置環境に応じて吸着部に与える影響を考慮した結果に基づいて紫外線による吸着部の劣化を判定する事が可能な撮像装置を提供する事である。
【課題を解決するための手段】
【００１１】
本発明に係る撮像装置の構成は、
吸着部と、
該吸着部をカバーする蓋部材と、
被写体の輝度を検出する輝度検出手段と、
前記蓋部材が開閉状態を検知する蓋開閉検出手段と、
前記蓋部材が「開」状態である時間を積算するカウント手段と制御手段と、を有し、
前記制御手段は、前記輝度検出手段の検出結果に応じて、前記蓋部材の開き状態の積算時間の重みづけを変更することを特徴とする。
【発明の効果】
【００１２】
本発明によれば、紫外線値を検出する専用の検出手段が無くても、撮像装置の設置環境に応じて吸着部に与える影響を考慮した結果に基づいて紫外線による吸着部の劣化を判定する事が可能な撮像装置を提供する事が出来る。
【図面の簡単な説明】
【００１３】
【図１】本発明の実施例の撮像装置の外観図
【図２】本発明の実施例の撮像装置の蓋を開いた状況を示す図
【図３】本発明の実施例の撮像装置のブロック図
【図４】本発明の実施例の撮像装置を壁面や窓ガラスに設置している状況を示す図
【図５】本発明の第１の実施例における撮影時の動作フロー図
【図６】本発明の第１の実施例における撮影時の動作サブフロー図
【図７】本発明の第２の実施例における撮影時の動作フロー図
【図８】本発明の第２の実施例における撮影時の動作サブフロー図
【図９】本発明の第３の実施例における撮影時の動作フロー図
【図１０】本発明の第３の実施例における撮影時の動作サブフロー図
【図１１】本発明の第４の実施例の撮像装置のブロック図
【図１２】本発明の第４の実施例における撮像装置の蓋を開いた状況及び閉じた状況を示す図
【図１３】本発明の第４の実施例における撮影時の動作フロー図
【発明を実施するための形態】
【００１４】
以下、図１から図６を参照して、本発明の好ましい実施の形態を、添付の図面に基づいて詳細に説明する。
【実施例１】
【００１５】
図１は、本発明の撮像装置を六方向から見た外観図であり、図１（ａ）〜（ｆ）は、それぞれ本発明の撮像装置の正面図、右側面図、裏面図、左側面図、上面図、底面図である。尚、この図の状態を基準形態とし、略直方体形状を形成してフルフラットな装置となっている。図２は、本発明の撮像装置のカバー部４を開いた図であり、図３は撮像装置のブロック図、図４は、後述するように、本発明の撮像装置を窓ガラスに設置して撮影する場合の使用状況及び設置状況を示す図である。
【００１６】
図１の撮像装置の外観図において、１は、第一の筺体であるカメラ本体部であり、被写体光による被写体の画像を表示する表示部１１を背面側に備え、またその内部には、主に映像や撮像装置の機能を処理するためのシステム構成としての処理回路部分とバッテリーや映像記録媒体などを備えている。なお、カメラ本体部１は、本発明の本体部に相当する。
【００１７】
２は、主に撮影レンズ部２ａ、撮像素子、フラッシュ撮影のための発光部２ｂが内蔵されたレンズ鏡筒部である。
【００１８】
３は、レンズ鏡筒部２をパンニング方向に回転可能に支持し、主にレンズ鏡筒部２の機能を処理するための処理回路などが内蔵されたレンズ本体部である。レンズ鏡筒部２とレンズ本体部３は合せて第二の筺体部を構成している。
【００１９】
また、図１は、第一の筺体であるカメラ本体部１に対し、第二の筺体部であるレンズ鏡筒部２が、第一の回動位置である基準形態である事を示す。
【００２０】
４は、カメラ本体部１に回転可能に支持されており、後述の吸着部を覆って保護する蓋部材であるカバー部である。なお、カバー部４が、本発明の蓋部材に相当する。
【００２１】
５は、撮像装置の電源部であるメインＳＷ、６はシャッタボタン、７はズームレバー、８はカメラ本体部１とレンズ本体部３を回転可能に支持する回転軸である回動部、９はレンズ鏡筒部２をレンズ本体部３に対して回転可能に支持する回動部、１０はカメラ本体部１からカバー部４を開閉可能とするヒンジ部、１１は画像を表示する表示部で、タッチ操作が可能なタッチパネルを備えてある。回動部８によって、レンズ鏡筒部２およびレンズ本体部３は、カメラ本体部１に対してＴ（第１の回転軸）を回転中心軸として図中矢印方向に１８０°の回転（図１の状態が回転角度０°）が可能となっている。
なお、表示部１１は、本発明の表示手段に相当する。
【００２２】
また、図１に示すように、回動部８の位置は表示部１１の面と水平な面方向において画面中心からオフセットされた位置にあり、カメラ本体部１の厚さ方向において、その厚さ方向の中心位置よりもオフセットされた位置にある。詳しくは、回動部８の回転中心軸線から撮影レンズ部２ａの中心線までの距離をＬＰ１、回動部８の回転中心軸線からカバー部４の下端部までの距離をＬＰ２、回動部８の回転中心軸線からレンズ本体部３の最外形部までの距離をＬＰ３、回動部８の回転中心軸線からカバー部４を１８０°回転させた時の最外形部までの距離をＬＰ４とした時、
ＬＰ１  ＞  ＬＰ２  かつ、ＬＰ３  ＜  ＬＰ４としている。
【００２３】
レンズ鏡筒部２は回動部９を回転軸Ｐとし、レンズ本体部３に対して図中矢印方向に±１８０°回転する。ヒンジ部１０によって、カバー部４は、カメラ本体部１に対してＨ（第２の回転軸）を回転中心軸として図中矢印方向に最大で１８０°回転する。
【００２４】
図２にカバー部４を開いた状態を示す。吸着部１２は本体部１側に吸着部１２ａ、１２ｂ、カバー部４の側に吸着部１２ｃがそれぞれ取付けられており、その位置はカバー部４が閉じ切った時、吸着部１２ａ、１２ｂと吸着部１２ｃが干渉しない位置に上下にずらして配置されている。１ａはカバー部４が閉じた際、吸着部１２ｃのニゲ部として設けた本体１の凹部である。なお、吸着部１２は、本発明の吸着部に相当する。
【００２５】
また、カメラ本体部１には、カバー検知ＳＷ１３２が設けられており、カバー部４の開いた事が検知可能になっている。つまり、図２に示したように、カバー部４がカメラ本体部１に対して開いた状態になると、カバー検知ＳＷ１３２がＯＮにある構成となっている。
【００２６】
ここでは、吸着部１２はシリコンなどを原料とし、所定の厚みのある粘着性を有するゲル状部材を用いている。また、カバー部４を閉じることで、吸着部１２を使用しない場合のゲル状部材への不要なゴミ等の付着を最少とする事が出来るばかりではなく、太陽光に含まれる紫外光成分による劣化を防ぐ事が出来る。
【００２７】
次に、図３を用いて本発明の撮像装置の撮像に関係するシステム構成について説明する。この撮像装置システムは、撮像素子１２２を備えたカメラ本体部１２０（カメラ本体部１に相当）と、カメラ本体部１２０に組み込まれているレンズ部１１０（レンズ鏡筒部２とレンズ本体部３に相当）を有している。レンズ部１１０内のレンズＣＰＵ１０１と、カメラ本体部１２０内のカメラＣＰＵ（制御手段）１２１が接続されており、相互に信号のやり取りを行っている。レンズＣＰＵ１０１は、レンズ部１１０内の動作を、またカメラＣＰＵ１２１はカメラ本体部１２０の動作を制御している。
【００２８】
Ｌ１〜Ｌ４はレンズユニットである。具体的には、レンズユニットＬ１、Ｌ４は固定のレンズユニット、レンズユニットＬ２は変倍用のレンズユニット、レンズユニットＬ３はフォーカスレンズユニットである。
【００２９】
レンズユニットＬ２は、レンズＣＰＵ１０１の制御信号を受けたズーム駆動回路１１１からの出力を受ける事で、光軸Ｘ方向に移動可能である。これにより、撮影光学系の焦点距離を変化させる事が出来る。フォーカスレンズユニットＬ３は、光軸Ｘ方向に移動する事で、撮影光学系の焦点調節を行う事が可能である。
【００３０】
１０４は光量調節装置である。複数の絞り羽根を光軸Ｘと略直交する面内で移動させる事で、光が通過する口径を変化させる。レンズＣＰＵ１０１からの制御信号を受けた絞り駆動回路１０８は、光量調節装置１０４を駆動する。レンズユニットＬ１〜Ｌ４および光量調節装置１０４によって撮影光学系Ｌが構成される。
【００３１】
被写体１５０の光束は、レンズ部１１０内の撮影光学系Ｌを通過し、カメラ本体部１２０内の撮像素子１２２に入射する。
【００３２】
１０２は操作ＳＷであり、マニュアル操作によるズーミング、フォーカシングおよび絞り値の設定や、オートフォーカス及びマニュアルフォーカスの切り換え等を行うためのＳＷである。
【００３３】
１０３は焦点調節を行うためのフォーカス駆動回路であり、レンズＣＰＵ１０１からの制御信号に基づいてフォーカスレンズユニットＬ３が駆動される。
【００３４】
フォーカス駆動モータの駆動によって回転する回転部材には、パルス発生ユニットが設けられており、パルス発生ユニットは、上記回転部材の回転に応じたパルス信号をフォーカス駆動回路１０３へ出力する。レンズＣＰＵ１０１は、パルス発生ユニットから出力されたパルス信号を検出する事で、フォーカスレンズユニットＬ３の位置検出を行う。
【００３５】
１０９は焦点距離検出回路であり、変倍用のレンズユニットＬ２の位置を検出する事で撮影光学系の焦点距離を検出する。焦点距離検出回路１０９は、レンズユニットＬ２の位置を３２分割されたグレーコードパターンを用いて検出している。
【００３６】
なお、レンズＣＰＵ１０１内のメモリには、レンズ部１１０の焦点距離情報、フォーカスレンズユニットＬ３の移動量に対する撮像素子面上のピント移動量（以下、フォーカス敏感度とする）等が、分割された焦点距離毎に格納されている。
【００３７】
レンズ部１１０内の撮影光学系Ｌを通過した被写体光は、撮像素子１２２の撮像面（受光面）に結像する。撮像素子１２２は、ＣＣＤやＣＭＯＳ等の光電変換素子で構成されており、光学像を光電変換によって電気信号に変換する。撮像素子１２２から読み出された信号は、増幅処理およびＡ／Ｄ変換処理が施された後、デジタル映像信号としてカメラＣＰＵ１２１に出力される。
【００３８】
本発明の撮像装置のシステムでは、上記デジタル映像信号を用いて、動画像又は静止画像を形成している。
【００３９】
デジタル映像信号は、カメラＣＰＵ１２１に出力されるだけではなく、オートフォーカス（以下、ＡＦと称す）処理回路１２９に対しても出力される。ＡＦ処理回路１２９にデジタル映像信号が入力されると、一画面分の画像データにおける高周波成分がハイパスフィルタ（ＨＰＦ）等を介して抽出され、この高周波成分に対して累積加算等の演算処理等が行なわれる。
【００４０】
これによって高域側の輪郭成分量等に対応するＡＦ評価値が算出される。そして、このＡＦ評価値がピークを示す位置までフォーカスレンズユニットＬ３を移動させる事で、いわゆるコントラスト検出方式による焦点検出を行う事が出来る。ＡＦ処理回路１２９で算出されたＡＦ評価値は、カメラＣＰＵ１２１に出力される。
【００４１】
本撮像装置システムにおける焦点調節動作は、コントラスト検出方式と、レンズＣＰＵ１０１内に格納されているフォーカス敏感度の情報とに基づいてフォーカスレンズユニットＬ３を光軸方向に移動させる事によって行われる。なお、コントラスト検出方式による焦点調節は公知の技術であるため、詳細な説明は省略する。
【００４２】
１２４は、２段ＳＷで構成されたレリーズＳＷ（図１の撮像装置の外観図のシャッタボタン６に相当）であり、測光、焦点検出および合焦動作といった撮影準備動作を開始させるためのＳＷ（ＳＷ１）と、撮像素子１２２への露光を開始させるためのＳＷ（ＳＷ２）とを有している。レリーズＳＷ１２４の出力信号はカメラＣＰＵ１２１に入力され、カメラＣＰＵ１２１は入力信号に応じた動作を行う。なお、カメラＣＰＵ１２１は、表示ユニット１２５（図１の撮像装置の外観図の表示部１１に相当）の駆動制御、撮影モードや各種設定等を行うために表示ユニット１２５へのタッチ操作により設定を行う設定ＳＷ１２６からの入力に対応した制御動作、撮像装置の姿勢を検出する姿勢検出回路１２７からの出力に対応した表示ユニット１２５の表示制御、電源１２８における残り容量のチェックや電力の分担等といった、あらゆる制御を行っている。よって、カメラＣＰＵ１２１は、本発明の制御手段に相当する。
【００４３】
なお、表示ユニット１２５には、例えば、撮像素子１２２を用いて撮影された動画像や静止画像が表示される。
【００４４】
１２３は、カメラ本体部１２０に対して着脱可能な記録媒体に映像信号を記録させるための記録回路である。また、本実施例において、各種バッファメモリ等は、カメラＣＰＵ１２１内に含まれている。
【００４５】
１３１は、カバー部４が開いている時間を計測するためのタイマーである。タイマー１３１で計測した、カバー部４が開いている時間は、カメラＣＰＵ１２１に含まれている不図示のメモリに累積カウント値として逐次記憶される。また、後述するように、メインＳＷ５がＯＦＦになる時には、カバー部４が開いていた時間の累積値としてカメラＣＰＵ１２１内に含まれている不図示のメモリに記憶される。よって、タイマー１３１は、本発明のカウント手段に相当する。
【００４６】
なお、タイマー１３１が計測する速さは、後述するように、撮影する被写体の輝度が明るい場合には、そうでない場合に比べて速くなるように、カメラＣＰＵ１２１によって設定可能になっている。
【００４７】
１３２は、カバー検知ＳＷで、具体的には公知のプッシュＳＷであり、カバー部４が閉じられるとＯＦＦとなる設定になっている。よって、カバー検知ＳＷ１３２は、本発明の蓋開閉検出手段に相当する。
【００４８】
以上説明したように、主としてカメラ本体１の内部に備わるシステム構成により、本発明の実施例の撮像装置はカメラとして機能する。従って、本発明の実施例による撮像装置は、通常はフルフラットな形状なので携帯時に便利であり、撮影時は吸着手段により様々な壁面へ貼付ける事が可能となって三脚等を携行する必要が無くなっている。また、その可動部が移動する事により、ガラス面での透過撮影においても、被写体光がケラレる事なく撮影が可能となっている。
【００４９】
次に、図４を用いて、本発明の撮像装置の使用例を説明する。図４は、通常は三脚を必要とする撮影シーンにおいて、本発明の撮像装置を直接平面の窓ガラスへ設置し、セルフタイマーやリモコンなどにより撮影を行うシーンを示している。具体的には、屋内からガラス越に外の風景、特に夜景などを撮影するシーンであり、撮像装置はレンズ鏡筒部２を１８０°回転してから、窓ガラスに直接設置した状態である。
【００５０】
図４の場合も、回動部８の位置は表示部１１の面と水平な面方向において画面中心からオフセットされた位置にあり、カメラ本体部１の厚さ方向において、その厚さ方向の中心位置よりもオフセットされた位置にある。従って、
ＬＰ３  ＜  ＬＰ４
により、レンズ本体部３を回転させる際、カバー部４は、レンズ鏡筒部２またはレンズ本体部３に機械的に干渉することなく、１８０°回転させる事が出来ている。
【００５１】
また、
ＬＰ１  ＞  ＬＰ２
により、レンズ本体部３を１８０°回転させるとレンズ鏡筒部２とレンズ本体部３は、図４に示すように、カバー部４よりも外側の上方へ突出するようになる。すなわち、撮影レンズ部２ａは、その撮影範囲がカバー部４に遮蔽されないような位置まで移動しているので、設置場所や被写体の位置の条件などに合わせて自由にレンズ鏡筒部２をパンニングさせても撮影画角がカバー部４などにケラレる事がない。
【００５２】
図５は本発明のカメラ本体部１にて撮影する時の動作を説明するためのフローチャートである。これを用いて、以下、カメラ本体部１の動作について説明する。
【００５３】
ステップ（以下、Ｓとする）１０１０では、メインＳＷ５がＯＮになっているかどうかの判定がカメラＣＰＵ１２１によって行われる。メインＳＷ５がＯＦＦのままであれば、カメラ本体部１はスリープ状態のままであり、メインＳＷ５がＯＮになればＳ１０２０に進む。
【００５４】
Ｓ１０２０では、この動作フロー以前の撮影動作時に計測した、カメラＣＰＵ１２１の不図示のメモリに記憶した累積カウント値を、カメラＣＰＵ１２１は読み込む。
【００５５】
Ｓ１０３０では、カメラ本体部１のカバー部４が開いているかどうかの判定がカメラＣＰＵ１２１によって行われる。具体的には、カバー検知ＳＷ１３２がＯＮになっているのかＯＦＦになっているのかの判定をカメラＣＰＵ１２１は行う。その結果、カバー部４が開いている場合（Ｙｅｓであれば）は、Ｓ１０４０に進む。
【００５６】
また、カバー部４が開いていない場合（Ｎｏの場合）は、カメラ本体部１をユーザーが保持しながら撮影する事になるので、Ｓ１４００に進む。なお、Ｓ１４００のカメラ本体部１の動作フローは、本発明の主旨とは異なるので、その詳細は省略する。
【００５７】
Ｓ１０４０では、レンズ部１１０内の撮影光学系Ｌを通過し、カメラ本体部１２０内の撮像素子１２２に入射した被写体１５０の像をカメラＣＰＵ１２１は取得する。
【００５８】
Ｓ１０５０では、Ｓ１０４０で撮像素子１２２が取得した画像情報を用いて、カメラＣＰＵ１２１は被写体１５０の輝度を検出する。よって、カメラＣＰＵ１２１は、本発明の輝度検出手段にも相当する。
【００５９】
Ｓ１０６０では、Ｓ１０５０でカメラＣＰＵ１２１が検出した被写体１５０の輝度からカメラ本体部１が設置されている状況を推測し、その結果に応じて、タイマー１３１の計測する計測速度を設定する。なお詳細は、図６のサブフロー＜カウント速度設定＞を用いて後述する。
【００６０】
Ｓ１０７０では、後述のＳ１２２０もしくはＳ１２３０で設定したカウント速度でタイマー１３１は計測を開始する。
【００６１】
Ｓ１０８０では、カメラＣＰＵ１２１は、カメラＣＰＵ１２１内に設けたメモリが記憶している累積値、つまりＳ１０２０でカメラＣＰＵ１２１が読み込んだ累積値にＳ１０７０で計測した値の積算を開始する。
【００６２】
Ｓ１０９０では、  カメラＣＰＵ１２１内に含まれている不図示のメモリに記憶されている累積カウント値が所定値以上になったかどうかの判定がカメラＣＰＵ１２１によって行われる。ここでいう所定値とは、カバー部４に設けた吸着部１２が紫外光によって劣化され始めるまでの時間（累積カウント値）としている。
【００６３】
なお、吸着部１２が紫外光によって劣化され始めるまでの時間は、実験的に求めたものでも良い。
【００６４】
Ｓ１０９０において、カメラＣＰＵ１２１内に含まれている不図示のメモリに記憶されている累積カウント値が所定値に達していない時（Ｎｏの場合）は、まだ紫外光によって吸着部１２は劣化しないとカメラＣＰＵ１２１によって判定されるので、Ｓ１１００に進む。
【００６５】
一方、Ｓ１０９０において、カメラＣＰＵ１２１内に含まれている不図示のメモリに記憶されている累積カウント値が所定値以上の場合（Ｙｅｓの場合）は、紫外光によって吸着部１２が劣化し始めるとカメラＣＰＵ１２１によって判定されるので、Ｓ１３１０に進む。
【００６６】
Ｓ１１００では、ユーザーによって、レリーズＳＷ１２４の半押し動作が行われてＳＷ１がオンされたかどうかの判定がカメラＣＰＵ１２１によって行われる。ＳＷ１がオンされたら（Ｙｅｓの場合）、Ｓ１１１０に進む。
【００６７】
Ｓ１１１０では、撮像素子１２２が取得した画像情報から被写体１５０の測光と、前述の視差量算出部８３を動作させる事により、被写体１５０までの距離を算出する。あるいは、不図示の測光手段や測距手段をカメラ本体部１が有し、該測光手段と測距手段を動作させる事により、被写体１５０の測光と測距を行っても良い。
【００６８】
Ｓ１１２０では、レリーズＳＷ１２４が全部押し込まれたか（ＳＷ２がオンになったかどうか）の判断をカメラＣＰＵ１２１が行う。ＹｅｓならばＳ１１３０に進む。
【００６９】
Ｓ１１３０では、公知の撮影動作を行う。
【００７０】
Ｓ１１４０では、Ｓ１１３０で撮影した被写体１５０の像をカメラＣＰＵ１２１内の不図示のメモリもしくは画像記録媒体に記録する。
【００７１】
Ｓ１１５０では、ＳＷ２がＯＦＦになっているかどうかの判定がカメラＣＰＵ１２１によって行われる。レリーズＳＷ１２４の全押し動作が継続している、つまりＳＷ２がオンになっている場合（Ｙｅｓ）であれば、Ｓ１１３０に戻り、一連のシーケンスを繰り返す。ＮｏならばＳ１１６０に進む。
【００７２】
Ｓ１１６０では、ＳＷ１がオンになっているかどうかの判定がカメラＣＰＵ１２１によって行われる。レリーズＳＷ１２４の半押し動作が継続している、つまりＳＷ１がオンになっている場合（Ｙｅｓ）であれば、Ｓ１０９０に戻り、一連のシーケンスを繰り返す。ＮｏならばＳ１１７０に進む。
【００７３】
Ｓ１１７０では、メインＳＷ５がＯＦＦになったかどうか、カメラＣＰＵ１２１が判断を行う。Ｎｏの場合はＳ１０３０に戻って一連の撮影動作を行う。
【００７４】
Ｓ１１７０でＹｅｓの場合は、Ｓ１１８０に進む。
【００７５】
Ｓ１１８０では、タイマー１３１の計測を停止する。
【００７６】
Ｓ１１９０では、Ｓ１１８０で停止した時の累積カウント値をカメラＣＰＵ１２１内の不図示のメモリに記憶した後に、撮影動作を終了する。
【００７７】
ところで、Ｓ１０９０で「Ｙｅｓ」だった場合には、Ｓ１３１０に進むので、以下、Ｓ１３１０以降の処理について説明する。
【００７８】
Ｓ１３１０では、吸着部１２の劣化による撮像装置の落下を防止するためにカバー部４を閉じるので、その旨を表示ユニット１２５に表示し、ユーザーがカメラ本体部１を窓ガラスから外してカバー部４を閉じる事が可能になる状態になるまで待機する。
【００７９】
Ｓ１３２０では、カバー検知ＳＷ１３２によってカバー部４が閉じられたかどうかをカメラＣＰＵ１２１が判断を行う。具体的には、カバー部４が閉じられるとカバー検知ＳＷ１３２はＯＦＦとなるので、これにより、カバー部４が閉じられた事を検出する事が出来る。カバー部４が閉じられたら、Ｓ１３３０に進む。
【００８０】
Ｓ１３３０では、「吸着部を交換するまでは、吸着状態で撮影出来ません」等、吸着部１２の劣化に伴って窓ガラス等に吸着させた状態で撮影が出来ない旨の表示を表示ユニット１２５に表示し、Ｓ１３４０に進む。
【００８１】
Ｓ１３４０では、タイマー１３１の計測を停止し、Ｓ１３５０に進む。
【００８２】
Ｓ１３５０では、Ｓ１３４０で停止した時の累積カウント値をカメラＣＰＵ１２１内の不図示のメモリに記憶した後に、Ｓ１３６０に進む。
【００８３】
Ｓ１３６０では、Ｓ１３３０で「吸着状態で撮影出来ません」等の表示がされたが、カメラ本体部１をユーザーが保持しながら撮影する事は可能なので、Ｓ１４００同様、通常の撮影動作を行う。Ｓ１４００同様、Ｓ１３６０のカメラ本体部１の動作フローは、本発明の主旨とは異なるので、その詳細は省略する。
【００８４】
サブフロー＜カウント速度設定＞の説明（図６参照）
Ｓ１２１０では、Ｓ１０５０で検出した被写体１５０の輝度が所定値以上かどうかをカメラＣＰＵ１２１は判定する。
【００８５】
具体的には、被写体１５０の輝度がＥＶ値でいうＥＶ１２（薄曇り程度）相当以上かどうかの判定を行う。ＥＶ１２相当未満の場合はＳ１２２０に進み、ＥＶ１２相当以上の場合はＳ１２３０に進む。
【００８６】
Ｓ１２２０では、カメラＣＰＵ１２１はタイマー１３１が計測する時間の計測速度を変えずに、「通常」（例えば、１分経過で１カウントする）の設定のままとする。この場合、タイマー１３１が１分経過後に計測するカウント数は１カウントとなる。これにより、カメラＣＰＵ１２１内に含まれている不図示のメモリに記憶される累積カウント値が１カウント分増える事となる。
【００８７】
これは、輝度がＥＶ１２相当未満の被写体１５０を撮影する場合は、撮像装置が置かれている環境では環境光に占める紫外光成分が少ないと判断し、それによりカバー部４に設けた吸着部１２では紫外光による劣化があまり進まないと判断出来るからである。その後、図５に示したメインフローのＳ１０７０に戻る。
【００８８】
Ｓ１２３０では、カメラＣＰＵ１２１はタイマー１３１が計測する時間の計測速度を「速い」に設定する。具体的には、前述のＳ１２２０の「通常」の２倍の速さに設定する。つまり、タイマー１３１がカウントする時間の計測速度が「通常」の２倍の速さになるので、タイマー１３１が１分経過後に計測するカウント数は２カウントとなる。これにより、カメラＣＰＵ１２１内に含まれている不図示のメモリに記憶される累積カウント値が２カウント分増える事となる。
【００８９】
これは、輝度がＥＶ１２相当以上の被写体１５０を撮影する場合は、撮像装置が置かれている環境では環境光に占める紫外光成分がＥＶ１２相当未満の時よりも多いと判断し、それにより、カバー部４に設けた吸着部１２では紫外光による劣化が進むと判断するためである。そのため、タイマー１３１の計測速度を「速い」に設定し、撮像装置が置かれている環境光の影響を反映出来るようにする。その後、図５に示したメインフローのＳ１０７０に戻る。
【００９０】
以上に説明したように、撮像装置が置かれた撮影環境に応じて吸着部に与える紫外線の影響の度合いを補正する事で、より正確に紫外線による吸着部の劣化を判定する事が可能である。
【００９１】
つまり、撮像装置の設置環境に応じて吸着部に与える影響を考慮した結果に基づいて紫外線による吸着部の劣化を判定する事が可能な撮像装置を提供する事が出来る。
【実施例２】
【００９２】
以下、図７及び８を参照して、本発明の第２の実施例について説明する。図７は、本発明の第２の実施例における、本発明のカメラ本体部１にて撮影する時の動作を説明するためのフローチャートである。図５に示したフローチャートとの違いは、Ｓ２０５０において、Ｓ２０４０で取り込んだ被写体１５０の像から検出するのが輝度から色温度に変更になった点と、Ｓ２０６０において、Ｓ２０５０の検出結果に応じたサブフローが＜カウント速度設定２＞に変更になった点である。また図８は、本発明の第２の実施例におけるサブフロー＜カウント速度設定２＞の説明図である。
【００９３】
以下、図７を用いて、本発明の第２の実施例におけるカメラ本体部１の動作について説明する。
【００９４】
Ｓ２０１０からＳ２０４０及びＳ２４００は、Ｓ１０１０からＳ１０４０及びＳ１４００と同様なので、その説明を省略する。
【００９５】
Ｓ２０５０では、Ｓ２０４０で撮像素子１２２が取得した画像情報から、カメラＣＰＵ１２１は被写体１５０の色温度を検出する。よって、カメラＣＰＵ１２１は、本発明の色温度検出手段にも相当する。
【００９６】
Ｓ２０６０では、Ｓ２０５０で検出した被写体１５０の色温度からカメラ本体部１が設置されている状況を推測し、その結果に応じて、タイマー１３１の計測する計測速度を設定する。なお詳細は、図８のサブフロー＜カウント速度設定２＞を用いて後述する。
【００９７】
Ｓ２０７０からＳ２１９０及びＳ２３１０からＳ２３６０は、Ｓ１０７０からＳ１１９０及びＳ１３１０からＳ１３６０と同様なので、その説明を省略する。
【００９８】
以下、第２の実施例におけるサブフロー＜カウント速度設定２＞について説明する。
【００９９】
Ｓ２２１０では、Ｓ２０５０で検出した被写体１５０の色温度が所定の範囲内かどうかをカメラＣＰＵ１２１は判定する。
【０１００】
具体的には、被写体１５０の色温度が５０００Ｋから６０００Ｋの範囲内であるかどうかの判定を行う。５０００Ｋから６０００Ｋの範囲内の場合はＳ２２２０に進み、５０００Ｋ未満もしくは６０００Ｋ以上の場合はＳ２２３０に進む。
【０１０１】
なお、ここで、所定の範囲内を５０００Ｋから６０００Ｋにしたのは、晴天の日向の場所の色温度が５０００Ｋから６０００Ｋであるためである。
【０１０２】
また、被写体の色温度を測定する方法としては、公知の技術（例えば、特開２０００−１８４３８１号広報に開示されている技術）を用いる。
【０１０３】
Ｓ２２２０では、カメラＣＰＵ１２１はタイマー１３１が計測する時間の計測速度を変えずに、「通常」の設定のままとする。この場合、タイマー１３１が１分経過後に計測するカウント数は１カウントとなる。これにより、カメラＣＰＵ１２１内に含まれている不図示のメモリに記憶される累積カウント値が１カウント分増える事となる。
【０１０４】
これは、色温度が５０００Ｋ未満の場合であれば、朝日や夕日の場合、また６０００Ｋ以上であれば日陰等での撮影であると想定出来るので、そのような時に被写体１５０を撮影する場合は、撮像装置が置かれている環境では環境光に占める紫外光成分が少ないと判断し、それによりカバー部４に設けた吸着部１２では紫外光による劣化があまり進まないと判断出来るからである。その後、図７に示したメインフローのＳ２０７０に戻る。
【０１０５】
Ｓ２２３０では、カメラＣＰＵ１２１はタイマー１３１が計測する時間の計測速度を「速い」に設定する。具体的には、前述のＳ２２２０の「通常」の２倍の速さに設定する。つまり、タイマー１３１が計測する時間の計測速度が「通常」の２倍の速さになるので、タイマー１３１が１分経過後に計測するカウント数は２カウントとなる。これにより、カメラＣＰＵ１２１内に含まれている不図示のメモリに記憶される累積カウント値が２カウント分増える事となる。
【０１０６】
これは、色温度が５０００Ｋから６０００Ｋの範囲内であれば、日中の日向で撮影と想定出来るので、そのような時に被写体１５０を撮影する場合、撮像装置が置かれている環境においては、環境光に占める紫外光成分は色温度が５０００Ｋ未満もしくは６０００Ｋ以上の時よりも多いと判断し、それにより、カバー部４に設けた吸着部１２では紫外光による劣化が進むと判断するためである。そのため、タイマー１３１の計測速度を「速い」に設定し、撮像装置が置かれている環境光の影響を反映出来るようにする。その後、図７に示したメインフローのＳ２０７０に戻る。
【０１０７】
以上に説明したように、撮像装置が置かれた撮影環境に応じて吸着部に与える紫外線の影響の度合いを補正する事で、より正確に紫外線による吸着部の劣化を判定する事が可能である。
【０１０８】
つまり、撮像装置の設置環境に応じて吸着部に与える影響を考慮した結果に基づいて紫外線による吸着部の劣化を判定する事が可能な撮像装置を提供する事が出来る。
【実施例３】
【０１０９】
以下、図９及び１０を参照して、本発明の第３の実施例について説明する。
【０１１０】
図９は、本発明の第３の実施例における、本発明のカメラ本体部１にて撮影する時の動作を説明するためのフローチャートである。図５に示したフローチャートとの違いは、Ｓ３０５０において、Ｓ３０４０で取り込んだ被写体１５０の像から検出するのが輝度から被写体光の青色成分に変更になった点と、Ｓ３０６０において、Ｓ３０５０の検出結果に応じたサブフローが＜カウント速度設定３＞に変更になった点である。
【０１１１】
また図１０は、本発明の第３の実施例におけるサブフロー＜カウント速度設定３＞の説明図である。
【０１１２】
以下、図９を用いて、本発明の第３の実施例におけるカメラ本体部１の動作について説明する。
【０１１３】
Ｓ３０１０からＳ３０４０及びＳ３４００は、Ｓ１０１０からＳ１０４０及びＳ１４００と同様なので、その説明を省略する。
【０１１４】
Ｓ３０５０では、Ｓ３０４０で撮像素子１２２が取得した画像情報から、カメラＣＰＵ１２１は被写体１５０の光の内の青色成分を検出する。よってカメラＣＰＵ１２１は、本発明の色味検出手段にも相当する。
【０１１５】
Ｓ３０６０では、Ｓ３０５０で検出した被写体１５０の光の青色成分からカメラ本体部１が設置されている状況を推測し、その結果に応じて、タイマー１３１の計測する計測速度を設定する。なお詳細は、図１０のサブフロー＜カウント速度設定３＞を用いて後述する。
【０１１６】
Ｓ３０７０からＳ３１９０及びＳ３３１０からＳ３３６０は、Ｓ１０７０からＳ１１９０及びＳ１３１０からＳ１３６０と同様なので、その説明を省略する。
【０１１７】
以下、第３の実施例におけるサブフロー＜カウント速度設定３＞について説明する。
【０１１８】
Ｓ３２１０では、Ｓ３０５０で検出した被写体１５０の光の青色成分が所定値以上かどうかをカメラＣＰＵ１２１は判定する。
【０１１９】
具体的には、被写体１５０の光の内、青色成分が公知のヒストグラムで１５０以上かどうかの判定を行う。青色成分が１５０未満の場合はＳ３２２０に進み、青色成分が１５０以上の場合はＳ３２３０に進む。
【０１２０】
ここで、被写体１５０の光の青色成分が所定値以上かどうかを判定に用いた理由について説明する。本発明の撮像装置を直接平面の窓ガラスへ設置し、セルフタイマーやリモコンなどにより撮影を行う場合、その窓ガラスによって紫外光の少なくとも一部は吸収もしくは反射される。そのため、環境光を直接受ける場合に比べて、窓ガラス越し撮影時の場合の方が環境光に占める紫外光成分が少なくなる。また、窓ガラスの種類（材質）や厚み等によっても、環境光に占める紫外光成分の減少の仕方が異なる。従って、被写体１５０の光の青色成分が所定値以上かどうかを判定する事によって、窓ガラスに応じた紫外光成分の減少の仕方を考慮した判定が出来るので、環境光に占める紫外光成分の影響をより正確に考慮する事が可能になる。
【０１２１】
Ｓ３２２０では、カメラＣＰＵ１２１はタイマー１３１が計測する時間の計測速度を変えずに、「通常」の設定のままとする。この場合、タイマー１３１が１分経過後に計測するカウント数は１カウントとなる。これにより、カメラＣＰＵ１２１内に含まれている不図示のメモリに記憶される累積カウント値が１カウント分増える事となる。
【０１２２】
これは、被写体１５０の光の青色成分が１５０未満の被写体１５０を撮影する場合は、撮像装置が置かれている環境では環境光に占める紫外光成分が少ないと判断し、それによりカバー部４に設けた吸着部１２では紫外光による劣化があまり進まないと判断出来るからである。その後、図９に示したメインフローのＳ３０７０に戻る。
【０１２３】
Ｓ３２３０では、カメラＣＰＵ１２１はタイマー１３１が計測する時間の計測速度を「速い」に設定する。具体的には、前述のＳ３２２０の「通常」の２倍の速さに設定する。つまり、タイマー１３１が計測する時間の計測速度が「通常」の２倍の速さになるので、タイマー１３１が１分経過後に計測するカウント数は２カウントとなる。これにより、カメラＣＰＵ１２１内に含まれている不図示のメモリに記憶される累積カウント値が２カウント分増える事となる。
【０１２４】
これは、被写体１５０の光の青色成分が１５０以上の被写体１５０を撮影する場合は、撮像装置が置かれている環境では環境光に占める紫外光成分が被写体１５０の光の青色成分が１５０未満の時よりも多いと判断し、それにより、カバー部４に設けた吸着部１２では紫外光による劣化が進むと判断するためである。そのため、タイマー１３１の計測速度を「速い」に設定し、撮像装置が置かれている環境光の影響を反映出来るようにする。その後、図９に示したメインフローのＳ３０７０に戻る。
【０１２５】
以上に説明したように、撮像装置が置かれた撮影環境や吸着しているガラス窓に応じて吸着部に与える紫外線の影響の度合いを補正する事で、より正確に紫外線による吸着部の劣化を判定する事が可能である。つまり、撮像装置の設置環境に応じて吸着部に与える影響を考慮した結果に基づいて紫外線による吸着部の劣化を判定する事が可能な撮像装置を提供する事が出来る。
【実施例４】
【０１２６】
以下、図１１から図１３を参照して、本発明の第４の実施例について説明する。図１１は、本発明の第４の実施例における、本発明の撮像装置の撮像に関係するシステム構成について説明する図である。同図において、１３３は吸着検知ＳＷで、具体的には公知のプッシュＳＷであり、カメラ本体部１が窓ガラスに吸着するとＯＦＦとなる設定になっている。よって、吸着検知ＳＷ１３３は、本発明の吸着検知手段に相当する。
【０１２７】
図１２は、本発明の第４の実施例における、本発明のカメラ本体部１及びカバー部４の断面図であり、吸着部１２ｃの略中央部での横断面図である。また、図１２（ａ）は、カバー部４がカメラ本体部１に対して閉じた状態、図１２（ｂ）は、カバー部４がカメラ本体部１に対して開いた状態である。なお、バネ２１は、本発明の形状記憶部材に相当する。
【０１２８】
同図において、ヒンジ部１０には形状記憶合金で形成されたバネ２１が設けられている。このバネ２１は、図１２（ａ）に示した形状を記憶しており、例えば図１２（ｂ）に示したようにカバー部４が開いている状態で電源１２８から通電すると、図１２（ａ）に示した状態に戻るようになっている。つまり、カバー部４がカメラ本体部１に対して開いた状態の際に、カメラＣＰＵ１２１は、電源１２８からバネ２１に通電する事により、カバー部４をカメラ本体部１に対して閉じた状態に戻す事が出来る。
【０１２９】
図１３は、本発明の第４の実施例における、本発明のカメラ本体部１にて撮影する時の動作を説明するためのフローチャートである。図５に示したフローチャートとの違いは、Ｓ１３２０からＳ１３６０のフローがＳ４３２０からＳ４３６０のフローに変更になっている点である。以下、図１３のフローチャートを用いて、本発明の第４の実施例における、本発明のカメラ本体部１にて撮影する時の動作を説明する。
【０１３０】
Ｓ４０１０からＳ４０８０は、Ｓ１０１０からＳ１０８０と同様なので、その説明を省略する。
【０１３１】
Ｓ４０９０において、カメラＣＰＵ１２１内に含まれている不図示のメモリに記憶されている累積カウント値が所定値に達していない時（Ｎｏの場合）は、まだ紫外光によって吸着部１２は劣化しないとカメラＣＰＵ１２１によって判定されるので、Ｓ４１００に進む。
【０１３２】
一方、Ｓ４０９０においてカメラＣＰＵ１２１内に含まれている不図示のメモリに記憶されている累積カウント値が所定値以上になっている時（Ｙｅｓの場合）は、紫外光によって吸着部１２が劣化し始めるとカメラＣＰＵ１２１によって判定されるので、Ｓ４３１０に進む。
【０１３３】
Ｓ４１００からＳ４１９０は、Ｓ１１００からＳ１１９０と同様なので、その説明を省略する。
【０１３４】
ところで、Ｓ４０９０で「Ｙｅｓ」だった場合には、Ｓ４３１０に進むので、以下、Ｓ４３１０以降の処理について説明する。
【０１３５】
Ｓ４３１０では、吸着部１２の劣化による撮像装置の落下を防止するためにカバー部４を閉じるので、その旨を表示ユニット１２５に表示し、ユーザーがカメラ本体部１を窓ガラスから外してカバー部４を閉じる事が可能になる状態になるまで待機する。
【０１３６】
Ｓ４３２０では、吸着検知ＳＷ１３３によってカメラ本体部１が吸着していたガラス窓から外されたかどうかをカメラＣＰＵ１２１が判断を行う。具体的には、カメラ本体部１が壁面やガラス面から取り外されると、吸着検知ＳＷ１３３はＯＦＦとなるので、これにより、カメラ本体部１が壁面やガラス面から取り外された事を検出する事が出来る。カメラ本体部１が壁面やガラス面から取り外されたら、Ｓ４３３０に進む。
【０１３７】
Ｓ４３３０では、カメラＣＰＵ１２１はバネ２１に通電する。これにより、バネ２１は、図１２（ｂ）に示したカバー部４がカメラ本体部１に対して開いた状態から図１２（ａ）に示したカバー部４がカメラ本体部１に対して閉じた状態になるので、これに伴い、カバー部４が閉じられる。
【０１３８】
Ｓ４３４０では、「吸着部を交換するまでは、吸着状態で撮影出来ません」等、吸着部１２の劣化に伴って窓ガラス等に吸着させた状態で撮影が出来ない旨の表示を表示ユニット１２５に表示し、Ｓ４３５０に進む。
【０１３９】
Ｓ４３５０からＳ４３７０は、Ｓ１３４０からＳ４３７０と同様なので、その説明を省略する。
【０１４０】
以上に説明したように、撮像装置の設置環境に応じて吸着部に与える影響を考慮した結果に基づいて紫外線による吸着部の劣化を判定する事が可能な撮像装置を提供する事が出来る。
【０１４１】
また、紫外線による吸着部の劣化を判定した結果、蓋部材を閉じる必要がある場合には、蓋部材が自動的に閉じられるので、ユーザーの利便性が向上する。
【符号の説明】
【０１４２】
１：カメラ本体部、４：カバー部、１２：吸着部、１２１：カメラＣＰＵ、
１３１：タイマー、１３２：カバー検知ＳＷ、１３３：吸着検知ＳＷ
【図３】
2015233257.tif 000003
【図１１】
2015233257.tif 000004
【図１】
2015233257.tif 000005
【図２】
2015233257.tif 000006
【図４】
2015233257.tif 000007
【図５】
2015233257.tif 000008
【図６】
2015233257.tif 000009
【図７】
2015233257.tif 000010
【図８】
2015233257.tif 000011
【図９】
2015233257.tif 000012
【図１０】
2015233257.tif 000013
【図１２】
2015233257.tif 000014
【図１３】
2015233257.tif 000015